(57)【要約】【課題】大型化を抑制し、光学装置の効率的な冷却が可能なプロジェクターを提供する。【解決手段】入射する光束を画像情報に応じて変調する液晶パネル５２、および光束の光路上に配置され、入射する光束の光学特性を変換する入射側偏光板５１を備えたプロジェクターであって、入射側偏光板５１の平面形状より大きな平面形状を有し、入射側偏光板５１が貼付される透明基材７を備え、透明基材７は、対向する一対の端部７Ｄ，７Ｕを有し、入射側偏光板５１は、一方の端部７Ｄとこの端部７Ｄ側の入射側偏光板５１の端部との距離が、他方の端部７Ｕとこの他方の端部７Ｕ側の入射側偏光板５１の端部との距離より大きくなるように、透明基材７に貼付されている。【選択図】図３
2013148749.tif 000002
【特許請求の範囲】
【請求項１】
光源と、前記光源から入射する光束を画像情報に応じて変調する光変調装置と、変調された前記光束を投写する投写レンズと、前記光束の光路上に配置され、入射する前記光束の光学特性を変換する光学素子と、を備えたプロジェクターであって、
前記光学素子の平面形状より大きな平面形状を有し、前記光学素子が貼付される透明基材を備え、
前記透明基材は、対向する一対の端部を有し、
前記光学素子は、前記一対の端部のうち一方の端部と当該一方の端部側の前記光学素子の端部との距離が、他方の端部と当該他方の端部側の前記光学素子の端部との距離より大きくなるように、前記透明基材に貼付されていることを特徴とするプロジェクター。
【請求項２】
請求項１に記載のプロジェクターであって、
空気を送風する冷却ファンを備え、
前記光学素子が貼付された透明基材は、前記冷却ファンから送風される空気の流れに対し、前記他方の端部側より前記一方の端部側が上流側に位置するように配置されていることを特徴とするプロジェクター。
【請求項３】
請求項２に記載のプロジェクターであって、
前記冷却ファンから送風された空気を導くダクトをさらに備え、
前記透明基材は、前記一方の端部側の透明基材が前記ダクトから吹き出された空気を前記光変調装置および前記光学素子に導くように形成されていることを特徴とするプロジェクター。
【発明の詳細な説明】
【技術分野】
【０００１】
本発明は、プロジェクターに関する。
【背景技術】
【０００２】
従来、光源から射出された光束を画像情報に応じて変調し、変調した光束をスクリーン等の投写面に投写するプロジェクターが知られている。このプロジェクターには、光源からの光束を変調するための液晶パネルや偏光板を備えたものが知られている。そして、この偏光板は、光源からの光束が入射することによって発熱して光学特性が低下するため、偏光板を冷却するための技術が提案されている（例えば、特許文献１参照）。
【０００３】
特許文献１に記載のプロジェクターは、３色用にそれぞれ設けられた液晶パネル、入射偏光板、および色合成プリズムを有する映像合成装置備えている。各入射偏光板は、ガラス基材の表面に偏光フィルムを接合して構成されている。そして、ガラス基材は、偏光フィルムよりも大きな外形を有して、偏光フィルムの外周縁から外側へ突出したガラス基材の外周部の表面を主たる放熱面として、偏光フィルムの温度を一定値以下に抑制するように形成されている。
【先行技術文献】
【特許文献】
【０００４】
【特許文献１】特開２００７−２５４０６号公報
【発明の概要】
【発明が解決しようとする課題】
【０００５】
しかしながら、特許文献１に記載の技術は、偏光フィルムの熱が偏光フィルムから突出するガラス基材の外周部で放熱するように構成されているため、ガラス基材の平面サイズ、つまり入射偏光板が全周において大きくなるという課題がある。そして、各入射偏光板が全周において大きくなると、３色用にそれぞれ設けられた液晶パネル、入射偏光板を配置するために映像合成装置、ひいてはプロジェクターが大型化するという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源と、前記光源から入射する光束を画像情報に応じて変調する光変調装置と、変調された前記光束を投写する投写レンズと、前記光束の光路上に配置され、入射する前記光束の光学特性を変換する光学素子と、を備えたプロジェクターであって、前記光学素子の平面形状より大きな平面形状を有し、前記光学素子が貼付される透明基材を備え、前記透明基材は、対向する一対の端部を有し、前記光学素子は、前記一対の端部のうち一方の端部と当該一方の端部側の前記光学素子の端部との距離が、他方の端部と当該他方の端部側の前記光学素子の端部との距離より大きくなるように、前記透明基材に貼付されていることを特徴とする。
【０００８】
本適用例によれば、光学素子は、光学素子より平面形状が大きな透明基材に貼付され、光変調装置に入射する光束の光路上に配置される。そして、光学素子は、透明基材の対向する一対の端部のうち、一方の端部側と光学素子との距離が他方の端部と光学素子との距離より大きくなるように、透明基材に貼付されている。
これによって、光束が入射することによって光学素子が発熱する場合であっても、一方の端部側の光学素子から露出する部位（基材露出部）を利用して光学素子を効率的に放熱することが可能となる。例えば、光学素子との距離が大きい一方の端部側、つまり透明基材の露出する表面積が大きい基材露出部側から他方の端部側に空気を送風したり、基材露出部に熱伝導性部材を接触させたりすることによって光学素子を効率的に放熱することが可能となる。よって透明基材の一方の端部と光学素子との距離を他方の端部と光学素子との距離より大きくすることで、光学素子の温度上昇を抑制することが可能となる。したがって、透明基材の少なくとも一方の端部側とは異なる側の大型化を抑制、つまり光変調装置および光学素子を有する光学装置の大型化を抑制して、ひいてはプロジェクターの大型化を抑制して、良好な光学特性を維持可能なプロジェクターの提供が可能となる。
【０００９】
［適用例２］上記適用例に係るプロジェクターにおいて、空気を送風する冷却ファンを備え、前記光学素子が貼付された透明基材は、前記冷却ファンから送風される空気の流れに対し、前記他方の端部側より前記一方の端部側が上流側に位置するように配置されていることが好ましい。
【００１０】
本適用例によれば、光学素子が貼付された透明基材には、冷却ファンから送風された空気が透明基材の光学素子からの距離が大きい側（基材露出部側）から小さい側に流れることとなる。これによって、基材露出部には、光学素子に送風される前の空気、つまり光束が入射することによって発熱する光学素子を冷却して暖まる前の空気が送風される。よって、透明基材の略中央に光学素子が貼付された構成に比べ、この温まる前の空気が送風される基材露出部の表面積が大きいので、基材露出部の温度上昇、ひいては透明基材に貼付された光学素子の温度上昇を抑制することが可能となる。したがって、プロジェクターは、大型化が抑制されて光学特性を維持可能な光学装置から射出された光を投写するので、大型化が抑制されつつ、品質の高い画像の投影が可能となる。また、光学素子の温度上昇が抑制されるので、冷却ファンの低電圧駆動による低騒音化が図れる。
【００１１】
［適用例３］上記適用例に係るプロジェクターにおいて、前記冷却ファンから送風された空気を導くダクトをさらに備え、前記透明基材は、前記一方の端部側の透明基材が前記ダクトから吹き出された空気を前記光変調装置および前記光学素子に導くように形成されていることが好ましい。
【００１２】
本適用例によれば、透明基材の一方の端部側によってダクトから吹き出された空気を光変調装置および光学素子に導くように形成されている。これによって、光変調装置および光学素子をより効率的に冷却することが可能となる。
【図面の簡単な説明】
【００１３】
【図１】本実施形態のプロジェクターの概略構成を示す模式図。
【図２】本実施形態の入射側偏光板の平面図。
【図３】本実施形態のクロスダイクロイックプリズム、光学装置および冷却装置を模式的に示す側面図。
【図４】変形例の入射側偏光板および透明基材を示す平面図。
【図５】変形例の入射側偏光板および透明基材を示す平面図。
【発明を実施するための形態】
【００１４】
以下、本実施形態に係るプロジェクターについて、図面を参照して説明する。
本実施形態のプロジェクターは、光源から射出された光束を画像情報に応じて変調してスクリーン等に拡大投写する。
【００１５】
〔プロジェクターの主な構成〕
図１は、本実施形態のプロジェクター１の概略構成を示す模式図である。
プロジェクター１は、図１に示すように、外装を構成する外装筐体２、制御部（図示省略）、光源装置３１を有する光学ユニット３、および光学ユニット３を冷却する冷却装置６を備えている。なお、図示は省略するが、外装筐体２の内部には、さらに、光源装置３１や制御部に電力を供給する電源装置等が配置されている。
【００１６】
外装筐体２は、詳細な説明は省略するが、上部を構成する上ケース、下部を形成する下ケース等を有している。そして、外装筐体２には、外気を取り込むための吸気口、および外装筐体２内部の温まった空気を外部に排気する排気口等が設けられている。
【００１７】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御や冷却装置６に備えられた冷却ファン６１の駆動等の制御を行う。
【００１８】
光学ユニット３は、制御部による制御の下、光源装置３１から射出された光束を光学的に処理して投写する。
光学ユニット３は、図１に示すように、光源装置３１に加え、インテグレーター照明光学系３２、色分離光学系３３、リレー光学系３４、電気光学装置４、投写レンズ３６、およびこれらの部材を光路上の所定位置に配置する光学部品用筐体３８を備えている。
【００１９】
光学ユニット３は、図１に示すように平面視略Ｌ字状に形成され、一方の端部に光源装置３１が着脱可能に配置され、他方の端部に投写レンズ３６が配置される。なお、以下では、説明の便宜上、光源装置３１から光束が射出される方向を＋Ｘ方向（左方向）、投写レンズ３６から光束が射出される方向を＋Ｙ方向（前方向）、プロジェクター１が机上等に据え置かれた据置姿勢における上方を＋Ｚ方向（上方向）として記載する。
【００２０】
光源装置３１は、超高圧水銀ランプやメタルハライドランプ等からなる放電型の光源３１１およびリフレクター３１２等を備える。そして、光源装置３１は、光源３１１から射出された光束をリフレクター３１２によって射出方向を揃え、インテグレーター照明光学系３２に向けて射出する。
【００２１】
インテグレーター照明光学系３２は、第１レンズアレイ３２１、第２レンズアレイ３２２、偏光変換素子３２３、および重畳レンズ３２４を備える。
第１レンズアレイ３２１は、光源装置３１から射出された光束を複数の部分光束に分割する光学部材であり、光源装置３１から射出された光束の光軸Ｌに対して略直交する面内にマトリクス状に配列される複数の小レンズを備えている。
【００２２】
第２レンズアレイ３２２は、第１レンズアレイ３２１と略同様の構成を有しており、重畳レンズ３２４とともに、第１レンズアレイ３２１から射出された部分光束を後述する液晶パネル５２の表面に重畳させる。
偏光変換素子３２３は、第２レンズアレイ３２２から射出されたランダム光を液晶パネル５２で利用可能な略１種類の偏光光に揃える機能を有する。
【００２３】
色分離光学系３３は、２枚のダイクロイックミラー３３１，３３２、および反射ミラー３３３を備え、インテグレーター照明光学系３２から射出された光束を赤色光（以下「Ｒ光」という）、緑色光（以下「Ｇ光」という）、青色光（以下「Ｂ光」という）の３色の色光に分離する機能を有する。
【００２４】
リレー光学系３４は、入射側レンズ３４１、リレーレンズ３４３、および反射ミラー３４２，３４４を備え、色分離光学系３３で分離されたＲ光をＲ光用の液晶パネル５２Ｒまで導く機能を有する。なお、光学ユニット３は、リレー光学系３４がＲ光を導く構成としているが、これに限らず、例えば、Ｂ光を導く構成としてもよい。
【００２５】
電気光学装置４は、色光毎に設けられた光学装置５（Ｒ光用の光学装置を５Ｒ、Ｇ光用の光学装置を５Ｇ、Ｂ光用の光学装置を５Ｂとする）、および色合成光学装置としてのクロスダイクロイックプリズム４１を備えている。
各光学装置５は、入射側偏光板５１、光変調装置としての液晶パネル５２（Ｒ光用の液晶パネルを５２Ｒ、Ｇ光用の液晶パネルを５２Ｇ、Ｂ光用の液晶パネルを５２Ｂとする）、および射出側偏光板５４を備えている。入射側偏光板５１および射出側偏光板５４は、入射する光束の光学特性を変換する光学素子として構成されている。
【００２６】
図２は、入射側偏光板５１の平面図である。
入射側偏光板５１は、図２に示すように、透明基材７に貼付され、図示しない保持部材を介して光学部品用筐体３８に配置される。入射側偏光板５１は、色分離光学系３３で分離された各色光のうち、偏光変換素子３２３で揃えられた偏光光を透過し、その偏光光と異なる偏光光を吸収して液晶パネル５２に射出する。
【００２７】
透明基材７は、入射する光束が透過するガラス製の板材で形成されている。透明基材７は、図２に示すように、平面形状が入射側偏光板５１の平面形状より大きい平面視矩形状に形成されており、図２の図面視において、下側の端部７Ｄ、上側の端部７Ｕ、右側の端部７Ｒ、および左側の端部７Ｌを有している。
【００２８】
入射側偏光板５１は、図２に示すように、透明基材７の中央より端部７Ｕ側寄りに貼付されている。つまり、入射側偏光板５１は、透明基材７の対向する一対の端部７Ｄ，７Ｕのうち、一方の端部７Ｄと入射側偏光板５１の一方の端部７Ｄ側の端部との距離が他方の端部７Ｕと入射側偏光板５１の他方の端部７Ｕ側の端部との距離より大きくなるように、透明基材７に貼付されている。換言すると、透明基材７の一方の端部７Ｄ側の入射側偏光板５１に覆われずに突出露出している基材露出部７Ｔの表面積が、他方の端部７Ｕ側の入射側偏光板５１から露出する部位の表面積より大きくなるように、入射側偏光板５１は、透明基材７に貼付されている。
【００２９】
液晶パネル５２は、一対の透明なガラス基板に電気光学物質である液晶が密閉封入された構成を有し、図示しない微小画素がマトリクス状に形成された矩形状の画素領域が形成されている。そして、液晶パネル５２は、制御部から入力された駆動信号に応じて液晶の配向状態が制御され、入射側偏光板５１から射出された色光を画像情報に応じて変調する。
【００３０】
射出側偏光板５４は、入射側偏光板５１と略同様の機能を有し、液晶パネル５２の光束射出側に配置される。そして、射出側偏光板５４は、液晶パネル５２から射出された光束のうち一定方向の偏光光を透過し、その偏光光と異なる偏光光を吸収してクロスダイクロイックプリズム４１に射出する。
【００３１】
本実施形態の射出側偏光板５４は、入射側偏光板５１と同様に、ガラス製の透明基材８（図３参照）に貼付され、クロスダイクロイックプリズム４１に取り付けられている。射出側偏光板５４は、入射側偏光板５１と同様に、透明基材８の射出側偏光板５４に覆われずに露出している大きさが、上側より下側が大きくなるように、透明基材８に貼付されている。ここで、透明基材８の下側の射出側偏光板５４から露出する部位を基材露出部８Ｔという。なお、透明基材７，８は、ガラス製に限らず、水晶やサファイア等の部材を用いてもよい。
【００３２】
クロスダイクロイックプリズム４１は、４つの直角プリズムを貼り合わせた平面視略正方形状をなし、各光学装置５が対向して配置される３つの光入射側端面を有している。そして、クロスダイクロイックプリズム４１は、直角プリズム同士を貼り合わせた界面に、２つの誘電体多層膜が形成され、各光入射側端面から入射する各色光を合成して射出する。具体的に、クロスダイクロイックプリズム４１は、誘電体多層膜が光学装置５Ｒ，５Ｂから射出された色光を反射し、光学装置５Ｇから射出された色光を透過して、各色光を合成する。
【００３３】
投写レンズ３６は、複数のレンズを組み合わせた組レンズとして構成され、光学装置５で変調され、クロスダイクロイックプリズム４１にて合成された光をスクリーン上に拡大投写する。
【００３４】
冷却装置６は、図１に示すように、冷却ファン６１およびダクト６２を備え、外装筐体２の吸気口から取り込んだ外部の空気を各光学装置５Ｒ，５Ｇ，５Ｂに送風し、各色光用の入射側偏光板５１、液晶パネル５２、および射出側偏光板５４等の部材を冷却する。
【００３５】
〔冷却装置の構成、および冷却装置から送風された空気の流れ〕
ここで、冷却装置６の構成、および冷却装置６から送風された空気の流れについて、光学装置５Ｇに注目して説明する。
図３は、クロスダイクロイックプリズム４１、光学装置５Ｇおよび冷却装置６を模式的に示す側面図である。
【００３６】
冷却ファン６１は、シロッコファンで構成され、空気が流入する流入口６１Ａ（図１参照）、および流入した空気が吐出される吐出口６１Ｂ（図３参照）を有している。
ダクト６２は、冷却ファン６１から吐出された空気を光学装置５に導く機能を有している。ダクト６２は、図３に示すように、冷却ファン６１から光学装置５Ｇの下方に延出して形成されている。ダクト６２は、冷却ファン６１の吐出口６１Ｂから吐出された空気が流入する流入口６２Ａ、および光学装置５Ｇの下方に位置し、流入した空気が吹き出される吹出し口６２Ｂを有している。なお、図示は省略するが、ダクト６２は、光学装置５Ｒ，５Ｂの下方にも延出して形成されており、光学装置５Ｒ，５Ｂの下方に位置する吹出し口を有している。
【００３７】
入射側偏光板５１が貼付された透明基材７は、図３に示すように、入射側偏光板５１が液晶パネル５２Ｇ側に位置し、端部７Ｄ（基材露出部７Ｔ）が下側、端部７Ｕが上側となるように配置される。射出側偏光板５４が貼付された透明基材８は、図３に示すように、射出側偏光板５４が液晶パネル５２Ｇ側に位置し、基材露出部８Ｔが下側となるように配置される。
そして、ダクト６２は、吹出し口６２Ｂが透明基材７，８の基材露出部７Ｔ，８Ｔ近傍に位置するように配置される。
【００３８】
冷却ファン６１から吐出された空気は、図３に示すように、ダクト６２に導かれ、吹出し口６２Ｂから吹出される。吹出し口６２Ｂから吹き出された空気は、入射側偏光板５１、液晶パネル５２、および射出側偏光板５４に沿って下方から上方に流れ、これらの部材を冷却する。
【００３９】
具体的に、吹出し口６２Ｂから吹き出された空気は、入射側偏光板５１が貼付された透明基材７には、基材露出部７Ｔに送風された後、入射側偏光板５１および透明基材７の表面に沿って流れ、液晶パネル５２には、液晶パネル５２の両面に沿って流れる。そして、吹出し口６２Ｂから吹き出された空気は、射出側偏光板５４が貼付された透明基材８には、基材露出部８Ｔに送風された後、射出側偏光板５４の表面に沿って流れる。
【００４０】
このように、冷却ファン６１から送風された空気は、基材露出部７Ｔ，８Ｔを経て入射側偏光板５１、射出側偏光板５４に送風される。つまり、基材露出部７Ｔ，８Ｔには、入射側偏光板５１、射出側偏光板５４に送風される前の空気、つまり光束が入射することによって発熱する入射側偏光板５１、射出側偏光板５４を冷却して暖まる前の空気が送風される。
【００４１】
また、吹出し口６２Ｂから吹き出された空気は、吹出し口６２Ｂの開口領域より広い領域に向かうが、図３に示すように、基材露出部７Ｔ近傍の斜め上方に向かう空気の一部（空気Ａ１）は、基材露出部７Ｔに衝突して入射側偏光板５１や液晶パネル５２Ｇに向かう（空気Ａ２）。また、基材露出部８Ｔ近傍の斜め上方に向かう空気の一部（空気Ａ３）は、基材露出部８Ｔに衝突して射出側偏光板５４や液晶パネル５２Ｇに向かう（空気Ａ４）。このように、基材露出部７Ｔ，８Ｔは、透明基材７，８に設けられていない場合に光学装置５Ｇとは異なる方向に向かう空気の一部を整流して、光学装置５Ｇに導く。
【００４２】
このように、光学装置５Ｒは、下方から送風された空気によって冷却される。入射側偏光板５１、射出側偏光板５４が貼付された透明基材７，８においては、冷却ファン６１から送風される空気の流れに対し、入射側偏光板５１、射出側偏光板５４の端部からの距離が大きい側（基材露出部７Ｔ，８Ｔ側）が上流側に位置するように配置される。そして、冷却ファン６１から送風された空気は、基材露出部７Ｔ，８Ｔを経て入射側偏光板５１、射出側偏光板５４に送風される。
【００４３】
詳細な説明は省略するが、光学装置５Ｒ，５Ｂは、光学装置５Ｇと同様に構成され、下方から送風された空気によって冷却される。そして、光学装置５Ｒ，５Ｂに備えられた入射側偏光板５１、射出側偏光板５４においても同様に、冷却ファン６１から送風された空気は、基材露出部７Ｔ，８Ｔを経てこの入射側偏光板５１、射出側偏光板５４に送風される。
【００４４】
以上説明したように、本実施形態のプロジェクター１によれば、以下の効果を得ることができる。
（１）入射側偏光板５１、射出側偏光板５４は、透明基材７，８の一方の端部７Ｄ、８Ｄから入射側偏光板５１、射出側偏光板５４の一方の端部７Ｄ、８Ｄ側の端面までの距離が他方の端部と入射側偏光板５１、射出側偏光板５４の他方の端部側の端面までの距離より大きくなるように、透明基材７に貼付されている。そして、冷却ファン６１から送風された空気は、透明基材７，８が露出する基材露出部７Ｔ，８Ｔを経て入射側偏光板５１、射出側偏光板５４に送風される。
これによって、基材露出部７Ｔ，８Ｔには、光束が入射することによって発熱する入射側偏光板５１、射出側偏光板５４を冷却して暖まる前の空気が送風される。よって、透明基材７，８の略中央に入射側偏光板５１、射出側偏光板５４が貼付された構成に比べ、この温まる前の空気が送風される基材露出部７Ｔ，８Ｔの表面積が大きいので、基材露出部７Ｔ，８Ｔの温度上昇、ひいては透明基材に貼付された入射側偏光板５１、射出側偏光板５４の温度上昇を抑制することが可能となる。したがって、透明基材７，８の少なくとも下側とは異なる側の大型化を抑制して、つまり、隣り合う光学装置５Ｒ，５Ｇ，５Ｂの間のスペースや、光学装置５Ｒ，５Ｇ，５Ｂの上方を大きくすることなく、効率よく冷却されて良好な光学特性を維持できる光学装置５の提供が可能となる。
【００４５】
（２）プロジェクター１は、この光学装置５を備えているので、大型化が抑制されつつ、光学特性を維持可能な光学装置５から射出された光を投写レンズ３６にて投写し、品質の高い画像の投影が可能となる。また、入射側偏光板５１、射出側偏光板５４の温度上昇が抑制されるので、冷却ファン６１の低電圧駆動による低騒音化が図れる。
【００４６】
（３）透明基材７，８は、基材露出部７Ｔ，８Ｔがダクト６２から吹き出された空気を光学装置５に導くように形成されている。これによって、液晶パネル５２や入射側偏光板５１、射出側偏光板５４等の光学装置５を構成する部材のより効率的な冷却が可能となる。
【００４７】
（変形例）
なお、前記実施形態は、以下のように変更してもよい。
前記実施形態では、光学装置５の下方から空気が送風されるように構成されているが、下方以外から空気が送風されるように構成してもよい。
図４は、この図面視において、入射側偏光板５１の左方から空気が送風されるように構成された場合の入射側偏光板５１および透明基材１７を示す平面図である。
図４に示すように、透明基材１７の左方から空気が送風される構成の場合には、入射側偏光板５１は、送風される空気の流れＦに対し、上流側となる透明基材１７の左側の端部１７Ｌとの距離が下流側となる透明基材１７の右側の端部１７Ｒとの距離より大きくなるように透明基材１７に貼付される。
このように、透明基材の端部と光学素子との距離が他方の端部側より一方の端部側が大きくなるように、光学素子が透明基材に貼付され、冷却ファン６１から送風される空気の流れに対し、この光学素子からの端部の距離が大きい側が上流側に位置するように配置されていればよい。
【００４８】
前記実施形態の透明基材７は、平面視矩形状に形成されているが、矩形状に限らず、例えば、台形状に形成してもよい。図５は、この変形例の入射側偏光板５１および透明基材２７を示す平面図であり、入射側偏光板５１が貼付された透明基材２７の下方から空気が送風される構成の場合を示す図である。
図５に示すように、透明基材２７は、送風される空気の流れＦに対し、上流側となる下側の端部２７Ｄの長さが下流側となる上側の端部２７Ｕの長さより長い台形状に形成されている。そして、入射側偏光板５１は、透明基材２７の端部２７Ｄとの距離が、端部２７Ｕとの距離より大きくなるように透明基材２７に貼付される。
【００４９】
前記実施形態の基材露出部７Ｔ，８Ｔに熱伝導性部材を接触させ、さらに放熱性を向上させるように構成してもよい。
【００５０】
前記実施形態では、射出側偏光板５４は、透明基材８を介してクロスダイクロイックプリズム４１に取り付けられているが、入射側偏光板５１と同様に、透明基材８に貼付し、図示しない保持部材を介して光学部品用筐体３８に配置されるように構成してもよい。
【００５１】
前記実施形態では、入射側偏光板５１および射出側偏光板５４の双方が透明基材７，８に対して中央よりずれるように貼付されているが、いずれか一方が透明基材７，８に対して中央よりずれるように貼付されるように構成してもよい。
【００５２】
光学補償素子（入射する光束の位相のずれを補償する素子）や、位相差板等を光学ユニット３の光路上に配置する構成とし、この光学補償素子や位相差板等を透明基材に貼付される光学素子として構成してもよい。
【００５３】
前記実施形態の入射側偏光板５１が貼付された透明基材７は、入射側偏光板５１が液晶パネル５２Ｇ側となるように配置されているが、透明基材７が液晶パネル５２Ｇ側となるように配置してもよい。
【００５４】
前記実施形態のプロジェクター１は、光変調装置として透過型の液晶パネル５２を用いているが、反射型液晶パネルを利用したものであってもよい。
【００５５】
光源３１１は放電型のランプに限らず、その他の方式のランプや発光ダイオード等の固体光源で構成してもよい。
【符号の説明】
【００５６】
１…プロジェクター、２…外装筐体、３…光学ユニット、５，５Ｂ，５Ｇ，５Ｒ…光学装置、６…冷却装置、７，８，１７…透明基材、７Ｔ，８Ｔ…基材露出部、３１…光源装置、３６…投写レンズ、５１…入射側偏光板、５２，５２Ｂ，５２Ｇ，５２Ｒ…液晶パネル、５４…射出側偏光板、６１…冷却ファン、６２…ダクト、３１１…光源。
【図１】
2013148749.tif 000003
【図２】
2013148749.tif 000004
【図３】
2013148749.tif 000005
【図４】
2013148749.tif 000006
【図５】
2013148749.tif 000007